(57)【特許請求の範囲】
【請求項１】
給湯機構（３０）と前記給湯機構から供給した湯を噴出する排湯機構（４０）とを装備し浴室内の室温を上昇させる浴室暖房具であって、
フレーム（１０）と、
前記フレームの底面に固着するフレーム固定手段と、
前記給湯機構と前記排湯機構との間を接続することにより連通する湯流路（５０）と、
浴槽内の貯留湯の中でも温度の高い湯を取込むため湯に浮く浴槽湯取込部（３２３）を包含する浴槽内の湯を吸引する電動吸引ポンプ（３２）と、
前記排湯機構を構成する等間隔で水平方向に並べた複数の噴出ノズル部（４１）と、
前記可動する噴出ノズル部を任意の位置で固定し維持する噴射ノズル部位置固定機構（８０）と、を有し、
前記噴出ノズル部（４１）には、暖気の流れを作ることができる回転羽根を装備し、
前記給湯機構から供給した湯がそのままの状態で前記噴出ノズル部から噴出し、前記噴出ノズル部が上下方向に可動することを特徴とする極めて取り付けが容易な浴室暖房具。
【発明の詳細な説明】
【技術分野】
【０００１】
本願発明は、全ての住宅の浴室内に設置できる工事不要の浴室暖房具に関するものである。
【背景技術】
【０００２】
急激な温度変化にさらされることで血圧が急上昇又は急降下するなど体に及ぼす影響のことをヒートショックというが、居住場所と浴室との温度差が激しい季節又は地域においては、入浴中にヒートショックが発生する危険性がある。
【０００３】
浴室暖房設備が完備された住宅であれば入浴中にヒートショックが発生する危険性は低いと思われる。したがって、ヒートショックが発生する危険性を低下させる観点からすると、全ての住宅に浴室暖房設備を普及することとなるが、現実的ではない。
【０００４】
居住環境の問題などで浴室暖房設備の設置工事ができないケース（賃貸住宅など）も存在するからである。
【０００５】
ところで、工事不要で簡易的に浴室内に設置する暖房システムに関する先行技術文献（例えば、特許文献１）も存在する。なお、特許文献１は、浴槽内の湯をポンプで吸い込み複数のノズルから浴室内に噴出をして暖房を行う浴室暖房装置である。
【先行技術文献】
【特許文献】
【０００６】
【特許文献１】特開２００２−１９５５９２号公報
【発明の概要】
【発明が解決しようとする課題】
【０００７】
上述のとおり、外気温が低下し居住場所と浴室との温度差が激しい冬場には、ヒートショックが発生する危険性があり、浴室暖房設備が未完備の住宅においては、ヒートショックが発生する危険性が上昇するものと考える。そこで、本願発明では、ヒートショックが発生する危険性を低下させるために、設置工事不要で全ての住宅の浴室内で（浴室暖房設備の設置工事ができない住宅の浴室であっても）利用可能な浴室暖房具を提供することを第１の課題とする。
【０００８】
また、特許文献１の浴室暖房装置は、噴出した湯のうちの一部が浴槽外に漏出してしまう可能性があり、また、入浴者が浴槽に入っている状態では、顔面等に湯が直接かかるため現実の使用は困難であるものと考える。さらに、噴出方向を制御できないため、浴室壁面に接触した飛散水は急激に温度が低下し、浴室温度上昇に対し、非効率的であるだけでなく、室温低価のリスクも考えられる。その他の改良の余地もあるものと考える。そこで、本願発明では、浴槽外に湯が漏出しない浴室暖房具を提供することを第２の課題とする（浴槽外に湯が漏出してしまうと、湯量の減少が生じ非経済的であること、漏出湯により浴室の床が濡れてしまい、床が冷感を持ってしまう及び足を滑らせてしまう等の新たな問題が生じ得るから）。
【課題を解決するための手段】
【０００９】
本願発明の浴室暖房具は、上記の課題を解決するために、給湯機構と前記給湯機構から供給した湯を噴出する排湯機構とを装備し浴室内の室温を上昇させる浴室暖房具であって、フレームと前記フレームの底面に固着するフレーム固定手段と、前記給湯機構と前記排湯機構との間を接続することにより連通する湯流路と、浴槽内の貯留湯の中でも温度の高い湯を取込むため湯に浮く浴槽湯取込部を包含する浴槽内の湯を吸引する電動吸引ポンプと、前記排湯機構として少なくとも等間隔で水平方向に並べた複数の噴出ノズル部と、前記上下方向に可動する噴出ノズル部を任意の位置で固定し維持する噴射ノズル部位置固定機構と、を有し、前記噴出ノズル部から供給した湯がそのままの状態で噴出し、前記噴出ノズル部が上下方向に可動することを特徴とする極めて取り付けが容易な浴室暖房具を提供する。
【発明の効果】
【００１０】
本願発明の浴室暖房具は、浴槽の上部のタイル壁面や浴槽の縁部などに固着するだけで取り付けが完了する極めて取り付けが容易な浴室暖房具であるので、浴室暖房設備の設置工事ができない住宅の浴室内にも設置できる。
【００１１】
また、本願発明の浴室暖房具は、噴出ノズル部が上下方向に可動するとともに任意の位置で固定し維持できるので、噴出した湯が確実に浴槽内に貯留し、浴槽外に湯が漏出しない。
【００１２】
また、本願発明の浴室暖房具は、電子制御が電動吸引ポンプだけであるため、安価に提供することが可能であり、かつ、故障のリスクも少ない。
【００１３】
また、本願発明の浴室暖房具は、噴出ノズル部が水平に並べて配置しているので、上下方向に可動したとしても噴出した湯が左右方向に飛散せず、噴出した湯が確実に浴槽内に貯留し、浴槽外に湯が漏出しない。
【００１４】
また、本願発明の浴室暖房具は、噴出ノズル部が等間隔で水平にならべて配置しているので、前記各々の噴出ノズル部から噴出する湯量のバランスが良い（バランス良く湯が噴出するので浴室内の多くの空気と接触し温度上昇効果が高まる）。
【００１５】
また、本願発明の浴室暖房具は、排湯機構と湯流路との接続位置が、前記排湯機構を構成する分岐管の中央であるので、各々の噴出ノズル部から噴出する湯量のバランスが良い（バランス良く湯が噴出するので浴室内の多くの空気と接触し温度上昇効果が高まる）。
【図面の簡単な説明】
【００１６】
【図１】図１は、実施例１の浴室暖房具の全体図である。
【図２】図２は、実施例１の浴室暖房具のカバーを外した全体図である。
【図３】図３は、実施例１の浴室暖房具の側面図である。
【図４】図４は、噴出ノズル部の拡大切断断面図である。
【図５】図５は、噴出ノズル部を上部方向から見た拡大図である。
【図６】図６は、噴出ノズル部の変更例を上部方向から見た拡大図である。
【図７】図７は、実施例１の浴室暖房具を浴室の室温上昇のために利用している状況を示すイメージ図である。
【図８】図８は、実施例１の浴室暖房具を入浴者のマッサージのために利用している状況を示すイメージ図である。
【図９】図９は、実施例２の浴室暖房具の全体図である。
【図１０】図１０は、実施例２の浴室暖房具のカバーを外した全体図である。
【図１１】図１１は、実施例２の浴室暖房具の第１使用態様（２種類の給湯機構を両方接続して利用）を示すイメージ図である。
【図１２】図１２は、実施例２の浴室暖房具の第２使用態様（２種類の給湯機構のうち１種類のみを付け替えて利用）を示すイメージ図である。
【発明を実施するための形態】
【００１７】
浴槽上部のタイル壁面若しくは浴槽の縁部に複数個の吸盤を吸着させて固定し、浴槽内に貯留した湯を給湯機構から供給し、湯流路を経由し、等間隔に水平配置した５つの噴出ノズル部等で構成する排湯機構から浴槽内に噴出する事によって浴室の室温を上昇させる浴室暖房具として使用する。
【実施例１】
【００１８】
まずは、実施例１の浴室暖房具の構成について、図１から図４に従い説明する。
【００１９】
浴室暖房具（１）は、左側面（１１）、底面（１２）及び右側面（１３）で構成され正面視Ｕ字形状のフレーム（１０）と、前記フレームの左側面（１１）と右側面（１３）との間に挟設される円筒形状のカバー（２０）と、前記カバー（２０）の右側面及び前記フレームの右側面（１３）を貫通するＬ字形状の主軸管（５１）からなる湯流路（５０）と、前記主軸管（５１）の一方端（図２で示す右端）と接続する電動吸引ポンプ（３２）からなる給湯機構（３０）と、前記主軸管（５１）の他方端（図２で示す左上端）と接続する分岐管（４３）及び前記分岐管（４３）と接続する５つの噴出ノズル部（４１）からなる排湯機構（４０）と、前記フレームの底面（１２）に固着するフレーム固定手段である３個の吸盤（６１）と、前記フレーム（１０）の両側面下部に固着する突出体（８１）からなる噴射ノズル部位置固定機構（８０）と、で構成する。
【００２０】
前記フレームの左側面（１１）の中央付近には円形状の中央孔（１１１）が穿設され、前記中央孔（１１１）の下部には前記突出体（８１）を貫通設置する突出体固定孔（１１２）が穿設されている（図３）。
【００２１】
前記フレームの底面（１２）の短手方向中央付近には前記吸盤（６１）を貫通設置する円形状の吸盤固定孔（１２１）が等間隔で３ケ所に穿設されている（図３）。
【００２２】
前記フレームの右側面（１３）の中央付近には前記主軸管（５１）を通す円形状の中央孔（１３１）が穿設され、前記中央孔（１３１）の下部には前記突出体（８１）を貫通設置する突出体固定孔（１３２）が穿設されている（図３）。なお、前記中央孔（１３１）と前記主軸管（５１）との間には軸受けを間挿設置しても良い。
【００２３】
前記円筒形状のカバー（２０）の周側面には、長手方向に前記５つの噴出ノズル部（４１）があらわれる長方形状の噴出ノズル部窓孔（２０１）が穿設されている（図２）。
【００２４】
前記円筒形状のカバー（２０）の円形左側面の中心には、円形状の回転支軸孔（２０２）が穿設されている（図３）。
【００２５】
前記円筒形状のカバー（２０）の円形右側面の中心には、前記主軸管（５１）を軸止する円形状の回転支軸孔（２０２）が穿設されている（図３）。
【００２６】
前記円筒形状のカバー（２０）の円形両側面には、前記回転支軸孔（２０２）から放射状に溝部（２０３）が設けられている（図２）。
【００２７】
給湯機構（３０）である前記電動吸引ポンプ（３２）は、当該電動吸引ポンプを作動させる電源部（３２１）と、当該電源吸引ポンプに対する操作を行う操作部（３２２）と、浴槽内に貯留された湯を取り込む浴槽湯取込部（３２３）と、前記浴槽湯取込部（３２３）と前記主軸管（５１）とを接合する接続ホース部（３２４）と、で構成する（図３）。
【００２８】
前記電動吸引ポンプ（３２）は、前記接続ホース部（３２４）と前記主軸管（５１）とが着脱自在に接続する構成を採用している。当該構成を採用することにより、前記主軸管（５１）から接続ホース部（３２４）を取り外した後の当該浴室暖房具（１）には、電気系統構成要素がなくなるため洗浄用液体を使用した内部又は外部の洗浄が容易となり、保守性が向上する。
【００２９】
前記電源部（３２１）は、充電池（バッテリー）で設計しているが、ＡＣ電源などの一般的な電源に変更すること又は併用することも選択し得る。
【００３０】
前記操作部（３２２）は、前記電動吸引ポンプ（３２）のＯＮ又はＯＦＦの切り替え操作や、吸引力の強弱ボリューム操作などを行う。
【００３１】
前記浴槽湯取込部（３２３）は、浴槽内の貯留湯を取り込む部分である。浴槽内の貯留湯の中でも温度の高い湯を取り込むために湯に浮くものを選択する方が好ましい。
【００３２】
前記接続ホース部（３２４）は、浴槽内に貯留する湯量の変化に追従できるように可撓性ある方が好ましい。
【００３３】
前記噴出ノズル部（４１）を構成する回転羽根は噴出する湯がより多くの空気と接触するために設けられているが、当該機能を発揮できればその形状は特定されない。例えば、三角羽根タイプ（図４及び図５）やプロペラ羽根タイプ（図６）などである。
【００３４】
前記分岐管（４３）の分岐数について、本実施例では５であるがこれに限られず、湯を流通できれば良い。浴室の室温を上昇させるためには分岐数は多い方が好ましいが、流通する湯の勢い及びバランスにも考慮する必要がある。
【００３５】
湯流路（５０）である前記Ｌ字形状の主軸管（５１）の一方端（図２で示す右端）は、前記接続ホース部（３２４）と着脱自在に接続し連通する。また、他方端（図２で示す左上端）は、前記分岐管（４３）と接続し連通する。
【００３６】
前記主軸管（５１）の内径について、湯を流通できれば良いが流通する湯の勢いを考慮すると、前記接続ホース（３２４）の内径よりも細く又は同一で、かつ、前記分岐管（４３）の内径よりも太い方が好ましい。
【００３７】
前記主軸管（５１）と前記分岐管（４３）との接続位置について、湯を流通できれば良いが流通する湯の勢い及びバランスを考慮すると、前記分岐管（４３）の中央部位置が好ましい。
【００３８】
前記フレーム固定手段である前記吸盤（６１）について、本実施例では３個としているが、浴室暖房具（１）を浴槽の上部のタイル壁面や浴槽の縁部に固定することができる程度の固着強度があれば個数、大きさ等に限定はない。また、一般的な固着手段に変更又は一般的な固着手段を併用することもし得る。
【００３９】
噴射ノズル部位置固定機構（８０）である前記突出体（８１）は、前記円筒形状のカバー（２０）の円形両側面に設けられた溝部（２０３）に嵌り、両側面を挟持することにより、前記カバー（２０）を任意の位置で固定し維持する。前記カバー（２０）と前記主軸管（５１）と前記分岐管（４３）と噴射ノズル部（４１）とが一体的に移動する構成であるので、前記カバー（２０）を任意の位置で固定し維持することは、前記噴射ノズル部（４１）を任意の位置で固定し維持することとなる。
【００４０】
次に、浴室暖房具の設置方法について図７及び図８に従い説明する。
【００４１】
浴槽（Ａ）の上部のタイル壁面に、フレームの底面に固着するフレーム固定手段である３個の吸盤（６１）を吸着させるだけで、浴室暖房具（１）の設置が完了する。
【００４２】
次に、浴室の室温を上昇させる利用形態について、浴室温度１０度、浴槽湯温度５０度の場合を想定し、図７に従い説明する。
【００４３】
噴出ノズル部（４１）が斜め上方向を向く様に円筒形状のカバー（２０）を回転させ位置調整を行った後に、フレームの両側に備える突出体（８１）を前記カバーの溝部（２０３）に嵌めて、挟持固定することにより、前記噴出ノズル部（４１）の位置を固定し維持する。
【００４４】
電動吸引ポンプの浴槽湯取込部（３２３）を浴槽（Ａ）の中に投入する。
【００４５】
操作部（３２２）をＯＮすることにより、前記浴槽湯取込部（３２３）から浴槽に貯留している５０度の湯（以下、浴槽湯という）（Ｗ１）が吸引される。
【００４６】
前記浴槽湯取込部（３２３）から吸引された５０度の浴槽湯（Ｗ１）は、接続ホース部（３２４）を経由し、主軸管（５１）に流入する。
【００４７】
前記主軸管（５１）に流入した浴槽湯（Ｗ１）は、前記Ｌ字形状の主軸管（５１）を経由し、分岐管（４３）へ到達する。
【００４８】
前記分岐管（４３）へ到達した浴槽湯（Ｗ１）は、前記５つの噴出ノズル部（４１）それぞれから、一定の噴出角度で浴槽（Ａ）の中へ噴出される。
【００４９】
前記噴出ノズル部（４１）から噴出された浴槽湯（Ｗ１）が、浴室内の多くの空気及び浴槽内の貯留湯と接触することにより当該空気を暖め室温を上昇させる（浴室内の広さにより異なるが、５分程度の作動で室温が２０度程度に上昇し、浴槽湯の温度が４０度程度になる状態を目安としている）。
【００５０】
なお、噴出される浴槽湯（Ｗ１）は、前記噴出ノズル部（４１）又は円筒形状のカバー（２０）を一定の噴出角度にセットすることで浴槽外に漏出せず、全て浴槽（Ａ）の中に戻る。
【００５１】
なお、前記浴槽湯（Ｗ１）の噴出方向が、浴槽から洗い場方向に向いていれば、洗い場への暖気の流れを作ることができ、体を洗っている間でも洗い場温度の上昇が期待できる。
【００５２】
また、入浴者が浴槽に入っている状態でも使用できるため、浴槽から出る際の温度変化の抑制が期待できる。
【００５３】
次に、浴槽湯を入浴者の首、肩、背中などに噴射することによりマッサージ効果を得る利用形態について、図８に従い説明する。
【００５４】
噴出ノズル部（４１）が、斜め下方向になる様に、円筒形状のカバー（２０）を回転させ位置調整を行った後に、フレームの両側に備える突出体（８１）を前記カバーの溝部（２０３）に嵌めて、挟持固定することにより、前記噴出ノズル部（４１）の位置を固定し維持する。
【００５５】
電動吸引ポンプの浴槽湯取込部（３２３）を浴槽（Ａ）の中に投入し、操作部（３２２）をＯＮすることにより、前記浴槽湯取込部（３２３）から浴槽湯（Ｗ１）が吸引され、前記噴出ノズル部（４１）から、入浴者の首、肩、背中などに向けて浴槽湯（Ｗ１）が噴出する。
【実施例２】
【００５６】
実施例２の浴室暖房具は、給湯機構及び湯流路の構成を変更した変形例である。その構成について、図９及び図１０に従い説明する。
【００５７】
浴室暖房具（１）は、左側面（１１）、底面（１２）及び右側面（１３）で構成され正面視Ｕ字形状のフレーム（１０）と、前記フレームの左側面（１１）と右側面（１３）との間に挟設される円筒形状のカバー（２０）と、前記カバー（２０）の両側面及び前記フレームの両側面を貫通する直管形状の主軸管（５１）及び前記主軸管（５１）と連通し接続する中央部及び当該中央部の両側に等間隔を開けて設ける３本の接続管（５２）からなる湯流路（５０）と、蛇口と連通接続する蛇口接続ホース（３１）及び浴槽内に貯留されている湯を吸引する、前記主軸管（５１）の一方端（図１０で示す右端）と接続する電動吸引ポンプ（３２）からなる給湯機構（３０）と、前記接続管（５２）と接続する分岐管（４３）及び前記分岐管（４３）と接続する噴出ノズル部（４１）からなる排湯機構（４０）と、前記フレームの底面（１２）に固着するフレーム固定手段である３個の吸盤（６１）と、前記フレーム（１０）の両側面下部に固着する突出体（８１）からなる噴射ノズル部位置固定機構（８０）と、で構成する。
【００５８】
前記蛇口接続ホース（３１）は、一方端（図１０で示す左端）を蛇口、他方端（図１０で示す右端）を前記主軸管（５１）と接続できるものであれば一般的なホースでも良いが、蛇口及び前記主軸管（５１）と簡単に着脱できる機構を備えているホースの方が好ましい。また、前記蛇口接続ホース（３１）と前記主軸管（５１）との接続は、前記主軸管（５１）の一方端（図１０又は図１１で示す左端）に接続しても良いし、他方端（図１０又は図１２で示す右端）に、前記接続ホース（３２４）と付け替えて接続しても良い。
【００５９】
前記主軸管（５１）の一方端（図１０で示す左端）は、前記蛇口接続ホース（３１）と接続し連通し、他方端（図１０で示す右端）は、前記接続ホース部（３２４）と接続し連通している。
【００６０】
前記接続管（５２）は、前記主軸管（５１）の中央及びその両側に等間隔で各１本の合計３本で構成するが、流通する湯の勢い及びバランスを考慮して湯を流通できればその他の構成であっても良い。例えば、中央の１本のみでも良い。
【００６１】
次に、浴室暖房具の設置方法について図１１及び図１２に従い説明する。
【００６２】
浴槽（Ａ）の縁部に、フレームの底面に固着するフレーム固定手段である３個の吸盤（６１）を吸着させるだけで、当該浴室暖房具（１）の設置が完了する。
【００６３】
次に、蛇口からの湯（以下、蛇口湯という）を供給する第１使用形態（主軸管の左端への接続形態）について、浴室温度１０度、浴槽貯留湯温度５５度の場合を想定し、図１１に従い説明する。なお、当該使用態様は、特に追い焚き機能がない浴槽の場合に有効である。
【００６４】
蛇口接続ホース（３１）の一方端を蛇口（Ｂ）に接続し、他方端を主軸管（５１）の左端に接続し、噴出ノズル部（４１）が、斜め下方向になるように円筒形状のカバー（２０）を回転させ位置調整を行った後に、フレームの両側に備える突出体（８１）を前記カバーの溝部（２０３）に嵌めて、挟持固定することにより、前記噴出ノズル部（４１）の位置を固定し維持する。
【００６５】
ハンドルを操作し前記蛇口（Ｂ）から湯を供給することにより、前記蛇口接続ホース（３１）を経由し５５度の蛇口湯（Ｗ２）が主軸管（５１）に流入する。
【００６６】
前記主軸管（５１）に流入した蛇口湯（Ｗ２）は、前記主軸管（５１）と連通した３本の接続管（５２）を経由し、分岐管（４３）へ流入する。
【００６７】
前記分岐管（４３）へ流入した蛇口湯（Ｗ２）は、５つの噴出ノズル部（４１）それぞれから、一定の噴出角度で浴槽（Ａ）の中へ噴出される。
【００６８】
前記噴出ノズル部（４１）から噴出された蛇口湯（Ｗ２）が、浴室内の多くの空気及び浴槽内の貯留湯と接触することにより当該空気を暖め室温を上昇させる（浴室内の広さにより異なるが、５分程度の作動で室温が２５度程度に上昇し、浴槽湯の温度が４２度程度で浴槽内を満たす状態を目安としている）。
【００６９】
また、噴出された蛇口湯（Ｗ２）は、前記噴出ノズル部（４１）又は円筒形状のカバー（２０）を一定の噴出角度にセットすることで浴槽外に漏出せず、全て浴槽（Ａ）の中に貯留される。
【００７０】
また、図１２は、蛇口湯を供給する第２使用形態（主軸管の右端への接続形態）である。当該使用形態の場合には、前記主軸管（５１）と接続した前記電動吸引ポンプ（３２）をいったん取り外した後に、前記蛇口接続ホース（３１）と付け替える。
【産業上の利用可能性】
【００７１】
本願発明の浴室暖房具は、全ての住宅に浴室暖房を提供し得るものであり、ヒートショック発生のリスクを飛躍的に減少させ得るものであるので、産業上の利用性を有する。
【符号の説明】
【００７２】
１        浴室暖房具
１０      フレーム
１１      左側面
１１１    中央孔
１１２    突出体固定孔
１２      底面
１２１    吸盤固定孔
１３      右側面
１３１    中央孔
１３２    突出体固定孔
２０      カバー
２０１    噴出ノズル部窓孔
２０２    回転支軸孔
２０３    溝部
３０      給湯機構
３１      蛇口接続ホース
３２      電動吸引ポンプ
３２１    電源部
３２２    操作部
３２３    浴槽湯取込部
３２４    浴槽接続ホース
４０      排湯機構
４１      噴出ノズル部
４３      分岐管
５０      湯流路
５１      主軸管
５２      接続管
６１      吸盤
８０      噴射ノズル部位置固定機構
８１      突出体
Ａ        浴槽
Ｂ        蛇口
Ｗ１    浴槽湯
Ｗ２    蛇口湯
【要約】
【課題】浴室暖房設備の設置工事ができない住宅の浴室にも設置できる浴室暖房具を提供すること。
【解決手段】浴槽の上部のタイル壁面又は浴槽の縁部などに３個の吸盤６１を吸着させて固定し、カバー２０と一体的に可動する噴出ノズル部４１を任意の方向（位置）にセットした後に、給湯機構３０である電動吸引ポンプ３２から湯を供給し、湯流路５０であるＬ字形状の主軸管５１を経由し、前記主軸管と連通する分岐管４３及び前記分岐管と連通する５つの噴出ノズル部４１から浴槽の中に噴出することによって浴室の室温を上昇させる浴室暖房具１を提供する。
【選択図】図２【図１】
0005388147.tif 000002
【図２】
0005388147.tif 000003
【図３】
0005388147.tif 000004
【図４】
0005388147.tif 000005
【図５】
0005388147.tif 000006
【図６】
0005388147.tif 000007
【図７】
0005388147.tif 000008
【図８】
0005388147.tif 000009
【図９】
0005388147.tif 000010
【図１０】
0005388147.tif 000011
【図１１】
0005388147.tif 000012
【図１２】
0005388147.tif 000013